(57)【要約】【課題】  簡単な操作で複雑な合成制御を行うことが可能な放送番組送出装置を提供する。【解決手段】  入力素材選択手段３は外部から入力された複数の素材を切替え、１列目の素材合成手段４と２列目の素材合成手段５とに渡す合成素材の選択を行う。１列目の素材合成手段４は入力素材選択手段３で選択された素材の混ぜ合わせ、キー合成を行う。２列目の素材合成手段５は入力素材選択手段３で選択された素材及び１列目の素材合成手段４で合成された結果の素材を選択し、それらの素材の混ぜ合わせ、キー合成を行う。事前に作成された項目表／キューシートは、オンエア前にニュース自動送出制御装置１にて制御情報が保持され、オンエア時のＴＡＫＥ操作によってスイッチャ装置２への素材選択制御と、１列目の素材合成手段４及び２列目の素材合成手段５への合成制御とが行われる。【選択図】      図１
2008048149.tif 000002
【特許請求の範囲】
【請求項１】
事前に作成された項目表／キューシートによってＴＡＫＥ操作で制御を行うニュース自動送出制御装置と、少なくとも１列目及び２列目の素材合成手段を持つスイッチャ装置とから構成される放送番組送出装置であって、
前記スイッチャ装置は、外部から入力された複数の素材を切替えて前記１列目の素材合成手段と前記２列目の素材合成手段とに渡す合成素材の選択を行う入力素材選択手段を有し、
前記１列目の素材合成手段は、前記入力素材選択手段で選択された素材の混ぜ合わせ及びキー合成を少なくとも行い、
前記２列目の素材合成手段は、前記入力素材選択手段で選択された素材及び前記１列目の素材合成手段で合成された結果の素材を選択し、それらの素材の混ぜ合わせ及びキー合成を少なくとも行い、
前記２列目の素材合成手段で前記素材を切替えるＴＡＫＥ操作と同じ運用で前記１列目の素材合成手段の合成状態を変更することを特徴とする放送番組送出装置。
【請求項２】
前記事前に作成された項目表／キューシートは、オンエア前に前記ニュース自動送出制御装置にて制御情報が保持され、オンエア時のＴＡＫＥ操作によって前記スイッチャ装置への素材選択制御と、前記１列目及び前記２列目の素材合成手段への合成制御とを行うことを特徴とする請求項１記載の放送番組送出装置。
【請求項３】
オンエアになった合成イベントに対して次制御が前記１列目の素材合成手段へのフェーダー値制御かどうかを判別し、前記フェーダー値制御である場合に前記１列目の素材合成手段に対してフェーダー値セットを行い、次のＴＡＫＥ操作にて前記１列目の素材合成手段の合成状態の変更を行うことを特徴とする請求項１または請求項２記載の放送番組送出装置。
【請求項４】
前記１列目の素材合成手段にてキー合成素材を作ることを特徴とする請求項１または請求項２記載の放送番組送出装置。
【請求項５】
事前に作成された項目表／キューシートによってＴＡＫＥ操作で制御を行うニュース自動送出制御装置と、少なくとも１列目及び２列目の素材合成手段を持つスイッチャ装置とから構成される放送番組送出装置に用いる放送番組送出方法であって、
前記スイッチャ装置に、外部から入力された複数の素材を切替えて前記１列目の素材合成手段と前記２列目の素材合成手段とに渡す合成素材の選択を行う入力素材選択手段を設け、
前記１列目の素材合成手段が、前記入力素材選択手段で選択された素材の混ぜ合わせ及びキー合成を少なくとも行い、
前記２列目の素材合成手段が、前記入力素材選択手段で選択された素材及び前記１列目の素材合成手段で合成された結果の素材を選択し、それらの素材の混ぜ合わせ及びキー合成を少なくとも行い、
前記２列目の素材合成手段で前記素材を切替えるＴＡＫＥ操作と同じ運用で前記１列目の素材合成手段の合成状態を変更することを特徴とする放送番組送出方法。
【請求項６】
前記事前に作成された項目表／キューシートは、オンエア前に前記ニュース自動送出制御装置にて制御情報が保持され、オンエア時のＴＡＫＥ操作によって前記スイッチャ装置への素材選択制御と、前記１列目及び前記２列目の素材合成手段への合成制御とを行うことを特徴とする請求項５記載の放送番組送出方法。
【請求項７】
オンエアになった合成イベントに対して次制御が前記１列目の素材合成手段へのフェーダー値制御かどうかを判別し、前記フェーダー値制御である場合に前記１列目の素材合成手段に対してフェーダー値セットを行い、次のＴＡＫＥ操作にて前記１列目の素材合成手段の合成状態の変更を行うことを特徴とする請求項５または請求項６記載の放送番組送出方法。
【請求項８】
前記１列目の素材合成手段にてキー合成素材を作ることを特徴とする請求項５または請求項６記載の放送番組送出方法。
【発明の詳細な説明】
【技術分野】
【０００１】
本発明は放送番組送出装置及びそれに用いる放送番組送出方法に関し、特に放送番組素材を切替えて送出する放送番組送出装置に関する。
【背景技術】
【０００２】
従来、放送番組送出装置においては、１列目の素材合成手段［ＭＫ（Ｍｉｘ  ａｎｄ  Ｋｅｙｉｎｇ）１］で合成された素材からのとりきり素材を、運用者によるＴＡＫＥ操作によって２列目の素材合成手段（ＭＫ２）にて順次切替えて送出している（例えば、特許文献１参照）。
【０００３】
このような処理を行う放送番組送出装置としては、図５に示すように、送出制御端末３１と、スイッチャミキサ３２と、ＴＡＫＥボタン３３と、その他の機器３４とから構成されたものがある。
【０００４】
【特許文献１】特開平１０−１９１１６４号公報（図４）
【発明の開示】
【発明が解決しようとする課題】
【０００５】
上述した従来の放送番組送出装置では、１列目の素材合成手段（ＭＫ１）での合成が、１つのショットとしてセットすることしかできず、中継先とスタジオとの掛け合い等、多彩なニュース運行場面において、マニュアル操作でのスイッチャ制御が必要である。
【０００６】
今までのニュース自動送出システムでは、スイッチャに対する複雑な合成イベントの指定が、１列目の素材合成手段（ＭＫ１）を使用して１つのショットとしてしか指定できず、ＴＡＫＥ操作によって合成波形を２列目の素材合成手段（ＭＫ２）の効果を入れてオンエア（ＯＡ：Ｏｎ  Ａｉｒ）にすることしかできない。
【０００７】
ここで、効果とは、１つの画像または音声がゆっくり消えたり、現れたりさせるためのフェーダー（ｆａｄｅｒ）、画面を種々の形で消して、そこに別の画面を出していくワイプ（ｗｉｐｅ）等の技法による画像や音声に対する特殊効果を示している。
【０００８】
そこで、本発明の目的は上記の問題点を解消し、簡単な操作で複雑な合成制御を行うことができる放送番組送出装置及びそれに用いる放送番組送出方法を提供することにある。
【課題を解決するための手段】
【０００９】
本発明による放送番組送出装置は、事前に作成された項目表／キューシートによってＴＡＫＥ操作で制御を行うニュース自動送出制御装置と、少なくとも１列目及び２列目の素材合成手段を持つスイッチャ装置とから構成される放送番組送出装置であって、
前記スイッチャ装置は、外部から入力された複数の素材を切替えて前記１列目の素材合成手段と前記２列目の素材合成手段とに渡す合成素材の選択を行う入力素材選択手段を備え、
前記１列目の素材合成手段は、前記入力素材選択手段で選択された素材の混ぜ合わせ及びキー合成を少なくとも行い、
前記２列目の素材合成手段は、前記入力素材選択手段で選択された素材及び前記１列目の素材合成手段で合成された結果の素材を選択し、それらの素材の混ぜ合わせ及びキー合成を少なくとも行い、
前記２列目の素材合成手段で前記素材を切替えるＴＡＫＥ操作と同じ運用で前記１列目の素材合成手段の合成状態を変更している。
【００１０】
本発明による放送番組送出方法は、事前に作成された項目表／キューシートによってＴＡＫＥ操作で制御を行うニュース自動送出制御装置と、少なくとも１列目及び２列目の素材合成手段を持つスイッチャ装置とから構成される放送番組送出装置に用いる放送番組送出方法であって、
前記スイッチャ装置に、外部から入力された複数の素材を切替えて前記１列目の素材合成手段と前記２列目の素材合成手段とに渡す合成素材の選択を行う入力素材選択手段を設け、
前記１列目の素材合成手段が、前記入力素材選択手段で選択された素材の混ぜ合わせ及びキー合成を少なくとも行い、
前記２列目の素材合成手段が、前記入力素材選択手段で選択された素材及び前記１列目の素材合成手段で合成された結果の素材を選択し、それらの素材の混ぜ合わせ及びキー合成を少なくとも行い、
前記２列目の素材合成手段で前記素材を切替えるＴＡＫＥ操作と同じ運用で前記１列目の素材合成手段の合成状態を変更している。
【００１１】
すなわち、本発明の放送番組送出装置は、項目表／キューシートにしたがってニュース番組を自動送出するシステムにおいて、複雑な合成イベントの制御を運用者によるＴＡＫＥ操作で簡単に送出可能としている。
【００１２】
本発明の放送番組送出装置では、オンエア（ＯＡ：Ｏｎ  Ａｉｒ）になった合成イベントに対して、ＮＥＸＴ制御（次制御）が１列目の素材合成手段［ＭＫ（Ｍｉｘ  ａｎｄ  Ｋｅｙｉｎｇ）１］へのフェーダー値制御かどうかを判別し、フェーダー値制御である場合に、１列目の素材合成手段（ＭＫ１）に対してフェーダー値セットを行い、次の運用者によるＴＡＫＥ操作にて、１列目の素材合成手段（ＭＫ１）の合成の状態変更を行うことによって、従来は不可能であった、合成波形からの素材とりきり操作やその逆の動きが可能となる。
【００１３】
上記のように、本発明の放送番組送出装置では、２列目の素材合成手段（ＭＫ２）で素材を切替えるＴＡＫＥ操作と同じ運用で、１列目の素材合成手段（ＭＫ１）の合成状態が変更可能となるため、運用が多様化してきたニュース送出において、簡単な操作で複雑な合成制御が可能になるという効果がある。
【００１４】
つまり、本発明の放送番組送出装置では、今まで運用者がマニュアルでしか操作できなかった複雑なスイッチャ制御を、ＴＡＫＥボタンで簡単に行うことが可能となる。
【発明の効果】
【００１５】
本発明は、上記のような構成及び動作とすることで、簡単な操作で複雑な合成制御を行うことができるという効果が得られる。
【発明を実施するための最良の形態】
【００１６】
次に、本発明の実施例について図面を参照して説明する。図１は本発明の一実施例による放送番組送出装置の構成を示すブロック図である。図１において、本発明の一実施例による放送番組送出装置は、事前に作成された項目表／キューシート（図示せず）によってＴＡＫＥ操作で制御を行うニュース自動送出制御装置１と、複数列の素材合成手段［ＭＫ（Ｍｉｘ  ａｎｄ  Ｋｅｙｉｎｇ）］列を持つスイッチャ装置２とから構成されている。また、スイッチャ装置２は、入力素材選択手段３と、１列目の素材合成手段（ＭＫ１）４と、２列目の素材合成手段（ＭＫ２）５とを備えている。
【００１７】
入力素材選択手段３は外部から入力された複数の素材を切替え、１列目の素材合成手段（ＭＫ１）４と２列目の素材合成手段（ＭＫ２）５とに渡す合成素材の選択を行う。１列目の素材合成手段（ＭＫ１）４は、入力素材選択手段３で選択された素材を混ぜ合わせたり、キー合成したりする。２列目の素材合成手段（ＭＫ２）５は、入力素材選択手段３で選択された素材及び１列目の素材合成手段（ＭＫ１）４で合成された結果の素材を選択し、それらの素材を混ぜ合わせたり、キー合成したりする。
【００１８】
事前に作成された項目表／キューシートは、オンエア（ＯＡ：Ｏｎ  Ａｉｒ）前にニュース自動送出制御装置１にて制御情報が保持され、オンエア時のＴＡＫＥ操作によってスイッチャ装置２への素材選択制御と、１列目の素材合成手段（ＭＫ１）４及び２列目の素材合成手段（ＭＫ２）５への合成制御が行われる。
【００１９】
図２は図１のスイッチャ装置２の動作を示すフローチャートであり、図３は本発明の一実施例による放送番組送出装置の動作を説明するための図である。これら図１〜図３を参照して本発明の一実施例の動作について説明する。尚、図２に示す処理はスイッチャ装置２のＣＰＵ（中央処理装置）（図示せず）がプログラムを動作することによって実現される。
【００２０】
まず、２列目の素材合成手段（ＭＫ２）５では、図３の１０のカメラがオンエアされているものとする。ニュース自動送出制御装置１より、ＮＥＸＴイベントのＭＫ１列へのセットとＮＥＸＴイベントへ遷移するための効果のＭＫ２列へのセットとが行われる（図２ステップＳ１）。
【００２１】
ここで、効果とは、１つの画像または音声がゆっくり消えたり、現れたりさせるためのフェーダー（ｆａｄｅｒ）、画面を種々の形で消して、そこに別の画面を出していくワイプ（ＷＩＰＥ）等の技法による画像や音声に対する特殊効果を示している。
【００２２】
本実施例では、図３の１３のワイプの合成素材であるカメラと中継の素材選択指示とが、入力素材選択手段３に対してＢＡＳＥ−Ａ及びＢＡＳＥ−Ｂへセットされ、その合成のワイプパターンが１列目の素材合成手段（ＭＫ１）４へセットされ、さらに図３の１１の効果のセットが２列目の素材合成手段（ＭＫ２）５へセットされる。
【００２３】
次に、番組の進行にあわせて運用者がイベントを進めるために、図３の１２で示されるＭＫ２へのベースＴＡＫＥ操作を行う（図２ステップＳ２）。このベースＴＡＫＥ操作によって、２列目の素材合成手段（ＭＫ２）５では、図３の１１の効果を実行後、図３の１３の映像をオンエアとして選択して送出する（図２ステップＳ３）。
【００２４】
その後、スイッチャ装置２では、次のイベントの有無の判別が行われる（図２ステップＳ４）。ここで、ＮＥＸＴイベントがない場合には処理終了となるが、ＮＥＸＴイベントがある場合にはさらにＮＥＸＴ制御がオンエアイベントのフェーダー値変更かどうかの判断が行われる（図２ステップＳ５）。
【００２５】
さらに、オンエアイベントのフェーダー値変更制御ではない場合には、ステップＳ１のＮＥＸＴイベントセット動作へ戻るが、オンエアイベントのフェーダー値変更制御である場合には、１列目の素材合成手段（ＭＫ１）４に対して図３の１４の効果で示されるトランジション時間と、図３の１６で示されるＮＥＸＴイベントへのフェーダー値とのセットが行われる（図２ステップＳ６）。
【００２６】
セット完了後、運用者の図３の１５のＴＡＫＥ操作によって、１列目の素材合成手段（ＭＫ１）４へのフェーダー制御が行われ（図２ステップＳ７）、最後に、１列目の素材合成手段（ＭＫ１）４の列にて映像の合成状態の変更処理が行われる（図２ステップＳ８）。
【００２７】
このように、本実施例では、２列目の素材合成手段（ＭＫ２）５で素材を切替えるＴＡＫＥ操作と同じ運用で、１列目の素材合成手段（ＭＫ１）４の合成状態を変更することによって、運用が多様化してきたニュース送出において、簡単な操作で複雑な合成制御が可能になるという効果がある。
【００２８】
図４は本発明の他の実施例による放送番組送出装置の構成を示すブロック図である。図４において、本発明の他の実施例による放送番組送出装置の構成は、入力素材選択手段２３にてＭＫ１列で選択している素材が、ＢＡＳＥ−Ａ及びＫＥＹ−１である点が、上記の本発明の一実施例と異なっている。また、本実施例では、１列目の素材合成手段（ＭＫ１）２４での合成も、上記の本発明の一実施例においてＢＡＳＥ同士のワイプ合成を行っているのに対し、ＢＡＳＥに対するＫＥＹ合成である点が異なっている。
【００２９】
１列目の素材合成手段（ＭＫ１）２４にてＫＥＹ合成素材を作ると、図２のステップＳ５の処理で行っているフェーダー値変更かどうかの判断を、ＫＥＹ合成のレベルやプロパティの変更かどうかの判断に置き換えることで、上記の本発明の一実施例とは異なる動作が可能となる。
【００３０】
これによって、本実施例では、運用者にとっては、同じＴＡＫＥ操作によるオンエア進行が可能であるにも関わらず、ＫＥＹ状態の変更操作までニュース自動送出装置にて簡単に行うことができるようになる。
【産業上の利用可能性】
【００３１】
本発明は、マスター装置におけるマスタースイッチャー制御といった用途に適用することができ、また情報番組や制作番組における自動運行装置にも適用可能である。
【図面の簡単な説明】
【００３２】
【図１】本発明の一実施例による放送番組送出装置の構成を示すブロック図である。
【図２】図１のスイッチャ装置の動作を示すフローチャートである。
【図３】本発明の一実施例による放送番組送出装置の動作を説明するための図である。
【図４】本発明の他の実施例による放送番組送出装置の構成を示すブロック図である。
【図５】従来の放送番組送出装置の構成を示すブロック図である。
【符号の説明】
【００３３】
１，２１  ニュース自動送出制御装置
２，２２  スイッチャ装置
３，２３  入力素材選択手段
４，２４  １列目の素材合成手段
５，２５  ２列目の素材合成手段
【図１】
2008048149.tif 000003
【図２】
2008048149.tif 000004
【図３】
2008048149.tif 000005
【図４】
2008048149.tif 000006
【図５】
2008048149.tif 000007